(57)【要約】      （修正有）【課題】新たな画面グループを選択する操作を入力するに際して、操作入力後に表示される画面をより正確に把握することができる表示操作装置およびそれを備える成形機を提供する。【解決手段】射出成形機は、表示操作装置のタッチパネルに二点上スワイプ操作（Ｕ）または二点下スワイプ操作（Ｄ）が入力されて、複数の画面グループの中から、新たな画面グループが選択されたとき、新しい画面グループに含まれる予め定められた標準画面Ｇ［１１］、Ｇ［２１］を表示部のメイン画面領域に表示する。【選択図】図５
2017151522.tif 000002
【特許請求の範囲】
【請求項１】
表示部と、操作部と、複数の画面グループのうちの選択されている画面グループに含まれる画面の１つを前記表示部に表示する表示制御部と、を有する表示操作装置であって、
前記表示制御部が、前記操作部に画面切替操作が入力されたとき、前記選択されている画面グループに含まれる画面の中から前記画面切替操作に応じて新たに切り替えられた画面を前記表示部に表示し、かつ、前記操作部に画面グループ選択操作が入力されたとき、前記複数の画面グループの中から前記画面グループ選択操作に応じて新たに選択された画面グループに含まれる予め定められた標準画面を前記表示部に表示することを特徴とする表示操作装置。
【請求項２】
請求項１に記載の表示操作装置において、
前記操作部としてのタッチパネルを有し、
前記画面切替操作が、前記タッチパネルの表面に接触させた操作体を一方向に滑らせたのち前記タッチパネルの表面から離すスワイプ操作であり、
前記画面グループ選択操作が、前記タッチパネルの表面に接触させた操作体を前記一方向と直交する他方向に滑らせたのち前記タッチパネルの表面から離すスワイプ操作であること表示操作装置。
【請求項３】
請求項１または請求項２に記載の表示操作装置と、
前記表示操作装置に入力された操作に応じて動作する成形装置と、を備えたことを特徴とする成形機。
【発明の詳細な説明】
【技術分野】
【０００１】
本発明は、例えば、射出成形機やダイカストマシン等の成形機などが備える表示操作装置、および、この表示操作装置を備える成形機に関する。
【背景技術】
【０００２】
特許文献１にタッチパネルを備えた射出成形機が開示されている。この射出成形機は、循環的に順序づけられた複数の画面に含まれる一の画面が表示されている状態で、タッチパネルに接触して左右いずれかの方向にスライドさせながら接触を離すフリック操作が入力されると、順方向または逆方向に画面が進んで上記複数の画面に含まれる他の画面が表示される。
【０００３】
この射出成形機では、フリック操作のスライド速度に応じて当該操作１回当たりに進む画面数が決定される。つまり、フリック操作のスライドが速いとより多くの画面数が進んで順序的に遠い画面を表示し、スライドが遅いと１枚または数枚程度画面数が進んで順序的に近い画面を表示する。
【０００４】
上述した射出成形機は、１つの画面グループに含まれる複数の画面をフリック操作によって切り替えるものであるが、例えば、複数の画面グループを設け、上下いずれかの方向にスライドさせるフリック操作によって複数の画面グループの中から１つの画面グループを選択する構成も考えられる。
【０００５】
このような構成では、複数の画面グループのそれぞれに含まれる複数の画面が仮想的に行列配置（マトリクス配置）されている。つまり、１つの画面グループに含まれる複数の画面が行方向（左右方向）に並べられかつこのように複数の画面が行方向に並べられた各画面グループが列方向（上下方向）に並べられている。そして、左右方向のフリック操作が入力されると、表示すべき画面がマトリクス上を左右方向に移動していき、上下方向のフリック操作が入力されると、表示すべき画面がマトリクス上を上下方向に移動していく。
【先行技術文献】
【特許文献】
【０００６】
【特許文献１】特開２０１４−８６５５号公報
【発明の概要】
【発明が解決しようとする課題】
【０００７】
上記構成において、通常、各画面グループは互いに関連性の強い画面がまとめられており、画面グループが異なる画面同士は互いの関連性が弱くなる。そのため、上下方向のフリック操作が入力される際に、操作入力前の画面と、マトリクス上においてこの画面の上側または下側に配置されている画面とは画面グループが異なることから互いの関連性が弱く、操作入力前の画面から次に表示される画面を把握することは困難である。これにより、新たに画面グループが選択された後のマトリクス上の位置が正確に把握できず、目的の画面にたどりつくまでに不必要な操作が強いられるおそれがある。
【０００８】
本発明は、新たな画面グループを選択する操作を入力するに際して、操作入力後に表示される画面をより正確に把握することができる表示操作装置およびそれを備える成形機を提供することを目的とするものである。
【課題を解決するための手段】
【０００９】
上記目的を達成するために、本発明の一態様の表示操作装置は、表示部と、操作部と、複数の画面グループのうちの選択されている画面グループに含まれる画面の１つを前記表示部に表示する表示制御部と、を有する表示操作装置であって、前記表示制御部が、前記操作部に画面切替操作が入力されたとき、前記選択されている画面グループに含まれる画面の中から前記画面切替操作に応じて新たに切り替えられた画面を前記表示部に表示し、かつ、前記操作部に画面グループ選択操作が入力されたとき、前記複数の画面グループの中から前記画面グループ選択操作に応じて新たに選択された画面グループに含まれる予め定められた標準画面を前記表示部に表示することを特徴とする。
【００１０】
本発明によれば、操作部に画面グループ選択操作が入力されたとき、複数の画面グループの中から画面グループ選択操作に応じて新たに選択された画面グループに含まれる予め定められた標準画面を前記表示部に表示する。このようにしたことから、画面グループが新たに選択されるとその画面グループの標準画面が必ず表示されるので、新たな画面グループを選択する操作を入力するに際して、操作入力後に表示される画面をより正確に把握することができる。
【００１１】
本発明においては、前記操作部としてのタッチパネルを有し、前記画面切替操作が、前記タッチパネルに接触した操作体を一方向に滑らせたのち前記タッチパネルから離すスワイプ操作であり、前記画面グループ選択操作が、前記タッチパネルに接触した操作体を前記一方向と直交する他方向に滑らせたのち前記タッチパネルから離すスワイプ操作であることが好ましい。このようにすることで、１つの画面グループ内での画面切り替え、および、複数の画面グループ内での画面グループの選択を、直感的な操作で行うことができる。
【００１２】
上記目的を達成するために、本発明の他の一態様の成形機は、上記表示操作装置と、前記表示操作装置に入力された操作に応じて動作する成形装置と、を備えたことを特徴とする。このようにしたことから、表示操作装置において、画面グループが新たに選択されるとその画面グループの標準画面が必ず表示されるので、新たな画面グループを選択する操作を入力するに際して、操作入力後に表示される画面をより正確に把握することができる。
【発明の効果】
【００１３】
本発明によれば、新たな画面グループを選択する操作を入力するに際して、操作入力後に表示される画面をより正確に把握することができるので、不必要な操作の入力を抑制して、目的の画面に効率よくたどりつくことができる。
【図面の簡単な説明】
【００１４】
【図１】本発明の一実施形態に係る射出成形機の正面図である。
【図２】図１の射出成形機が備える表示操作装置の正面図である。
【図３】図１の射出成形機の概略構成を示す機能ブロック図である。
【図４】図２の表示操作装置の表示部に表示されるメニュー画面の一例を示す図である。
【図５】図２の表示操作装置の表示部に表示される画面の遷移の一例を示す図である。
【発明を実施するための形態】
【００１５】
以下、本発明の一実施形態に係る射出成形機について、図１〜図５を参照して説明する。
【００１６】
図１は、本発明の一実施形態に係る射出成形機の正面図である。図２は、図１の射出成形機が備える表示操作装置の正面図である。図３は、図１の射出成形機の概略構成を示す機能ブロック図である。図４は、図２の表示操作装置の表示部に表示されるメニュー画面の一例を示す図である。図５は、図２の表示操作装置の表示部に表示される画面の遷移の一例を示す図である。
【００１７】
図１に示すように、射出成形機１は、成形装置１０と、表示操作装置２０と、を備えている。
【００１８】
成形装置１０は、例えば、（１）加熱シリンダ、（２）加熱シリンダ内に回転可能かつ前後進可能に収納されたスクリュー、（３）加熱シリンダの末端側に備えられ、スクリューの溝内に原料樹脂を供給するホッパ、（４）加熱シリンダの先端側に備えられ、金型が設置される型締装置、（５）加熱シリンダを加熱するバンドヒータ、（６）スクリューを回転させる駆動部、（７）スクリューを前後進移動させる駆動部、（８）型締装置において金型の開閉、成形品の突出しを行うための駆動部、（９）上記（１）〜（８）に含まれる駆動部を駆動するドライバ群、（１０）射出成形に係る各種情報を検出するセンサ群、および（１１）コントローラ、などを有している。
【００１９】
成形装置１０のコントローラは、成形装置１０の全体の動作を司る機能部であり、コンピュータを有して構成されている。成形装置１０のコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。さらに、成形装置１０のコントローラは、後述する表示操作装置２０と通信可能に接続されており、表示操作装置２０に各種表示情報を送信するとともに、表示操作装置２０から各種機能実行指令情報を受信する。
【００２０】
表示操作装置２０は、図２、図３に示すように、表示部２１と、操作部としてのタッチパネル２２と、操作スイッチ４１〜５０と、簡易表示部５５と、制御部６０とを有している。
【００２１】
表示部２１は、例えば、液晶ディスプレイや有機ＥＬディスプレイなどのフラットパネルディスプレイで構成されている。表示部２１は、後述する制御部６０から出力された表示制御情報に基づき、数値や画像、グラフなどの各種情報、および、テキスト入力エリア、キーボード、テンキー、操作ボタンなどの操作アイテムを表示する。
【００２２】
表示部２１は、例えば図２に示すように、表示領域がモニター値表示領域２１ａ、メイン画面領域２１ｂ、サブ画面領域２１ｃおよび機能ラベル表示領域２１ｄの４つの領域に分割される。
【００２３】
モニター値表示領域２１ａには、例えば、成形装置１０のセンサ群によって検出された射出成形動作にかかる各種検出値などが表示される。メイン画面領域２１ｂには、例えば、図４に示すように行列配置（マトリクス配置）された複数の操作ボタンＳ［ｉｊ］（ｉ＝１〜１０、ｊ＝１〜６）を有するメニュー画面Ｇｍおよびこのメニュー画面Ｇｍから呼び出される各種画面Ｇ［ｉｊ］が表示される。サブ画面領域２１ｃには、メイン画面領域２１ｂに表示された画面Ｇ［ｉｊ］を補助する操作ボタンや射出成形状態を示すアニメーション等の図形などを表示する。機能ラベル表示領域２１ｄには、操作スイッチ４１〜５０に割り当てられている機能を示す機能ラベルを各操作スイッチ４１〜５０に対応するように表示する。
【００２４】
タッチパネル２２は、表示部２１の表示面に重ねて配置されている。タッチパネル２２は、例えば、表示部２１に表示された上記操作アイテムに対応する箇所に利用者によって接触操作が入力される。ここで、接触操作には、例えば、タップ（指やタッチ操作ペンなどの操作体で比較的短い期間接触する）、ロングタップ（操作体で比較的長い期間接触する）、フリック（操作体を接触して所定方向に短く払う（短くスライドする））及びスワイプ（タッチパネル２２の表面に操作体を接触させて一方向に滑らせたのちタッチパネル２２の表面から離す）などがある。スワイプ操作には、１つの操作体を接触させる通常のスワイプ操作の他に、例えば、２本指など２つの操作体を接触させる二点スワイプ操作もある。
【００２５】
以下、タッチパネル２２における表示部２１に表示された操作ボタンに対応する箇所をタップすることを、単に「操作ボタンをタップする」という。また、タッチパネル２２における表示部２１のメイン画面領域２１ｂに重ねられた箇所に二点スワイプ操作を入力することを、単に「メイン画面領域２１ｂに二点スワイプ操作を入力する」という。
【００２６】
操作スイッチ４１〜５０は、押しボタンスイッチであって、表示部２１の下縁に沿って水平方向に並べて配置されている。操作スイッチ４１〜５０には、例えば、第１の機能グループＦ１および第２の機能グループＦ２のうちの選択されている機能グループに含まれる機能が動的に割り当てられる。
【００２７】
第１の機能グループＦ１に含まれる機能は、例えば、「型開」、「型閉」、「ＥＪ後退」、「ＥＪ前進」、「射出」、「可塑化」、「ＮＺタッチ」、「ＮＺバック」、「型厚後退」、「型厚前進」である。第１の機能グループＦ１が選択されているとき、これら機能が操作スイッチ４１〜５０のそれぞれに割り当てられるとともに、これら機能を示す機能ラベルが機能ラベル表示領域２１ｄに表示される。第１の機能グループＦ１には、赤色が対応付けられている。
【００２８】
第２の機能グループＦ２に含まれる機能は、例えば、「中子１戻」、「中子１入」、「中子２戻」、「中子２入」、「中子３戻」、「中子３入」、「エア１」、「エア２」、「エア３」、「エア４」である。第２の機能グループＦ２が選択されているとき、これら機能が操作スイッチ４１〜５０のそれぞれに割り当てられるとともに、これら機能を示す機能ラベルが機能ラベル表示領域２１ｄに表示される。第２の機能グループＦ２には、黄色が対応付けられている。
【００２９】
簡易表示部５５は、左端の操作スイッチ４１の左側に隣接して配置されている。簡易表示部５５は、赤色および黄色に発光可能なＬＥＤからなる発光部５５ａを有している。簡易表示部５５は、後述する制御部６０から出力された簡易表示制御情報に基づき、第１の機能グループＦ１が選択されているとき発光部５５ａを赤色に発光させ、第２の機能グループＦ２が選択されているとき発光部５５ａを黄色に発光させる。すなわち、発光部５５ａが発光する色によって、選択されている機能グループを表示する。
【００３０】
制御部６０は、表示操作装置２０の全体の動作を司る機能部であり、ＣＰＵ、ＲＯＭ、ＲＡＭおよび各種インタフェースを備えたコンピュータを有して構成されている。制御部６０は、表示部２１への出力画像の表示制御処理、タッチパネル２２および操作スイッチ４１〜５０に入力された操作の処理等の各種処理を実行する。制御部６０は、成形装置１０のコントローラからの各種表示情報を受信して、これら表示情報に基づく表示制御情報を表示部２１に出力し、タッチパネル２２および操作スイッチ４１〜５０に入力された操作に応じた機能を実行するための機能実行指令情報を成形装置１０のコントローラに送信する。
【００３１】
制御部６０は、ＣＰＵがＲＯＭに格納された制御プログラムを実行することにより、表示制御部などの各種機能部として機能する。
【００３２】
表示操作装置２０は、表示部２１のメイン画面領域２１ｂに表示される複数の画面Ｇを有しており、これら複数の画面Ｇは第１の画面グループＴ１〜第１０の画面グループＴ１０に振り分けられている。
【００３３】
具体的には、第１の画面グループＴ１は、射出・可塑化画面Ｇ［１１］、可塑化補助画面Ｇ［１２］、条件一覧画面Ｇ［１３］および画面選択画面Ｇ［１６］を含んでいる。第１の画面グループＴ１の標準画面として、射出・可塑化画面Ｇ［１１］が設定されている。
【００３４】
第２の画面グループＴ２は、型開閉・ＥＪ画面Ｇ［２１］、中子画面Ｇ［２２］、エア画面Ｇ［２３］および型開閉オプション画面Ｇ［２４］を含んでいる。第２の画面グループＴ２の標準画面として、型開閉・ＥＪ画面Ｇ［２１］が設定されている。
【００３５】
第３の画面グループＴ３は、温度設定画面Ｇ［３１］およびヒータ自動投入画面Ｇ［３２］を含んでいる。第３の画面グループＴ３の標準画面として、温度設定画面Ｇ［３１］が設定されている。
【００３６】
第４の画面グループＴ４は、生産管理画面Ｇ［４１］、動作行程画面Ｇ［４２］、条件記憶画面Ｇ［４３］および設定履歴画面Ｇ［４４］を含んでいる。第４の画面グループＴ４の標準画面として、生産管理画面Ｇ［４１］が設定されている。
【００３７】
第５の画面グループＴ５は、射出グラフ画面Ｇ［５１］、可塑化グラフ画面Ｇ［５２］、１サイクルグラフ画面Ｇ［５３］、１サイクルロジック画面Ｇ［５４］、１サイクルグラフ項目選択画面Ｇ［５５］および１サイクルロジック項目選択画面Ｇ［５６］を含んでいる。第５の画面グループＴ５の標準画面として、射出グラフ画面Ｇ［５１］が設定されている。
【００３８】
第６の画面グループＴ６は、モニタ画面Ｇ［６１］、モニタ項目画面Ｇ［６２］、モニタ表示画面Ｇ［６３］、モニタグラフ画面Ｇ［６４］およびモニタ予備画面Ｇ［６５］を含んでいる。第６の画面グループＴ６の標準画面として、モニタ画面Ｇ［６１］が設定されている。
【００３９】
第７の画面グループＴ７は、交換画面Ｇ［７１］、ＩＯモニタ画面Ｇ［７２］、成形ナビ画面Ｇ［７４］、オプション確認画面Ｇ［７５］および成形条件診断画面Ｇ［７６］を含んでいる。第７の画面グループＴ７の標準画面として、交換画面Ｇ［７１］が設定されている。
【００４０】
第８の画面グループＴ８は、点検画面Ｇ［８１］およびアラーム履歴画面Ｇ［８２］を含んでいる。第８の画面グループＴ８の標準画面として、点検画面Ｇ［８１］が設定されている。
【００４１】
第９の画面グループＴ９は、オプション動作画面Ｇ［９１］、オプション信号画面Ｇ［９２］、射出圧縮画面Ｇ［９３］およびゲートカット画面Ｇ［９４］を含んでいる。第９の画面グループＴ９の標準画面として、オプション動作画面Ｇ［９１］が設定されている。
【００４２】
第１０の画面グループＴ１０は、パスワード画面Ｇ［１０１］、言語切替画面Ｇ［１０２］、通信ポート設定画面Ｇ［１０３］、時刻設定画面Ｇ［１０４］、単位設定画面Ｇ［１０５］およびメニュー２画面Ｇ［１０６］を含んでいる。第１０の画面グループＴ１０の標準画面として、パスワード画面Ｇ［１０１］が設定されている。なお、上右記複数の画面の振り分けは一例である。
【００４３】
本実施形態において、第１の画面グループＴ１〜第１０の画面グループＴ１０のそれぞれにおいて、画面Ｇ［ｉ１］が標準画面として設定されている。第１の画面グループＴ１〜第１０の画面グループＴ１０のそれぞれに含まれる画面Ｇ［ｉｊ］は、メニュー画面Ｇｍの操作ボタンＳ［ｉｊ］に対応付けられている。
【００４４】
次に、上述した射出成形機１の表示操作装置２０の動作の一例について、図４、図５を参照して説明する。
【００４５】
射出成形機１に電源が投入されて各種初期化処理が完了すると、表示操作装置２０の制御部６０は、表示部２１のメイン画面領域２１ｂに図４に示すメニュー画面Ｇｍを表示する。
【００４６】
そして、メニュー画面Ｇｍが表示された状態において、操作ボタンＳ［ｉｊ］がタップされると、制御部６０は、第ｉの画面グループＴｉが選択されたものとし、当該タップされた操作ボタンＳ［ｉｊ］に対応する画面Ｇ［ｉｊ］を表示部２１のメイン画面領域２１ｂに表示する。なお、メニュー画面Ｇｍの操作ボタンＳ［ｉｊ］のうち文字表示のない操作ボタンには対応する画面が存在せず、当該操作ボタンをタップしてもメニュー画面Ｇｍを表示したままとなる。
【００４７】
現在選択されている第ｉの画面グループＴｉに含まれる画面Ｇ［ｉｊ］が表示されている状態において、メイン画面領域２１ｂに画面切替操作としての二点右スワイプ操作または二点左スワイプ操作が入力されると、制御部６０は、第ｉの画面グループＴｉに含まれる複数の画面Ｇ［ｉｊ］内で順方向または逆方向に循環的に画面を切り替えて表示する。
【００４８】
また、第ｉの画面グループＴｉに含まれる画面Ｇ［ｉｊ］が表示されている状態において、メイン画面領域２１ｂに画面グループ選択操作としての二点上スワイプ操作が入力されると、制御部６０は、第（ｉ−１）の画面グループＴ（ｉ−１）が新たに選択されたものとし、第（ｉ−１）の画面グループＴ（ｉ−１）の標準画面である画面Ｇ［（ｉ−１）１］を表示する。但し、ｉ＝１のときに二点上スワイプ操作が入力されると、制御部６０は、第１０の画面グループＴ１０が新たに選択されたものとし、第１０の画面グループＴ１０の標準画面である画面Ｇ［１０１］を表示する。
【００４９】
また、第ｉの画面グループＴｉに含まれる画面Ｇ［ｉｊ］が表示されている状態において、メイン画面領域２１ｂに画面グループ選択操作としての二点下スワイプ操作が入力されると、制御部６０は、第（ｉ＋１）の画面グループＴ（ｉ＋１）が新たに選択されたものとし、第（ｉ＋１）の画面グループＴ（ｉ＋１）の標準画面である画面Ｇ［（ｉ＋１）１］を表示する。但し、ｉ＝１０のときに二点下スワイプ操作が入力されると、制御部６０は、第１の画面グループＴ１が新たに選択されたものとし、第１の画面グループＴ１の標準画面である画面Ｇ［１１］を表示する。
【００５０】
動作例として、メニュー画面Ｇｍにおいて操作ボタンＳ［２１］が操作された場合について説明する。
【００５１】
メニュー画面Ｇｍが表示されている状態において、メニュー画面Ｇｍの操作ボタンＳ［２１］がタップされると、制御部６０は、第２の画面グループＴ２が選択されたものとし、操作ボタンＳ［２１］に対応する型開閉・ＥＪ画面Ｇ［２１］を表示部２１のメイン画面領域２１ｂに表示する。
【００５２】
型開閉・ＥＪ画面Ｇ［２１］が表示されている状態において、メイン画面領域２１ｂに二点右スワイプ操作が入力されると、制御部６０は、中子画面Ｇ［２２］をメイン画面領域２１ｂに表示する（図５（１））。さらに、メイン画面領域２１ｂに二点右スワイプ操作が順次入力されると、制御部６０は、エア画面Ｇ［２３］、型開閉オプション画面Ｇ［２４］、型開閉・ＥＪ画面Ｇ［２１］をメイン画面領域２１ｂに順次切り替えて表示する（図５（２）、（３）、（４））。
【００５３】
または、型開閉・ＥＪ画面Ｇ［２１］が表示されている状態において、メイン画面領域２１ｂに二点左スワイプ操作が入力されると、制御部６０は、型開閉オプション画面Ｇ［２４］をメイン画面領域２１ｂに表示する（図５（５））。さらに、メイン画面領域２１ｂに二点左スワイプ操作が順次入力されると、制御部６０は、エア画面Ｇ［２３］、中子画面Ｇ［２２］、型開閉・ＥＪ画面Ｇ［２１］をメイン画面領域２１ｂに順次切り替えて表示する（図５（６）、（７）、（８））。
【００５４】
または、第２の画面グループＴ２に含まれる画面Ｇ［２１］〜Ｇ［２４］のいずれか１つが表示されている状態において、メイン画面領域２１ｂに二点上スワイプ操作が入力されると、制御部６０は、新たに第１の画面グループＴ１が選択されたものとし、当該第１の画面グループＴ１の標準画面である射出・可塑化画面Ｇ［１１］をメイン画面領域２１ｂに表示する（図５（９））。
【００５５】
または、第２の画面グループＴ２に含まれる画面Ｇ［２１］〜Ｇ［２４］のいずれか１つが表示されている状態において、メイン画面領域２１ｂに二点下スワイプ操作が入力されると、制御部６０は、新たに第３の画面グループＴ３が選択されたものとし、第３の画面グループＴ３の標準画面である温度設定画面Ｇ［３１］をメイン画面領域２１ｂに表示する（図５（１０））。
【００５６】
同様に、動作例としてメニュー画面Ｇｍにおいて操作ボタンＳ［４３］が操作された場合について説明する。
【００５７】
メニュー画面Ｇｍが表示されている状態において、メニュー画面Ｇｍの操作ボタンＳ［４３］がタップされると、制御部６０は、第４の画面グループＴ４が選択されたものとし、操作ボタンＳ［４３］に対応する条件記憶画面Ｇ［４３］を表示部２１のメイン画面領域２１ｂに表示する。
【００５８】
条件記憶画面Ｇ［４３］が表示されている状態において、メイン画面領域２１ｂに二点右スワイプ操作が入力されると、制御部６０は、設定履歴画面Ｇ［４４］をメイン画面領域２１ｂに表示する（図５（１１））。さらに、メイン画面領域２１ｂに二点右スワイプ操作が順次入力されると、制御部６０は、生産管理画面Ｇ［４１］、動作行程画面Ｇ［４２］、条件記憶画面Ｇ［４３］をメイン画面領域２１ｂに順次表示する（図５（１２）、（１３）、（１４））。
【００５９】
または、条件記憶画面Ｇ［４３］が表示されている状態において、メイン画面領域２１ｂに二点左スワイプ操作が入力されると、制御部６０は、動作行程画面Ｇ［４２］をメイン画面領域２１ｂに表示する（図５（１５））。さらに、メイン画面領域２１ｂに二点左スワイプ操作が順次入力されると、制御部６０は、生産管理画面Ｇ［４１］、設定履歴画面Ｇ［４４］、条件記憶画面Ｇ［４３］をメイン画面領域２１ｂに順次表示する（図５（１６）、（１７）、（１８））。
【００６０】
または、第４の画面グループＴ４に含まれる画面Ｇ［４１］〜Ｇ［４４］のいずれか１つが表示されている状態において、メイン画面領域２１ｂに二点上スワイプ操作が入力されると、制御部６０は、新たに第３の画面グループＴ３が選択されたものとし、当該第３の画面グループＴ３の標準画面である温度設定画面Ｇ［３１］をメイン画面領域２１ｂに表示する（図５（１９））。
【００６１】
または、第４の画面グループＴ４に含まれる画面Ｇ［４１］〜Ｇ［４４］のいずれか１つが表示されている状態において、メイン画面領域２１ｂに二点下スワイプ操作が入力されると、制御部６０は、新たに第５の画面グループＴ５が選択されたものとし、第５の画面グループＴ５の標準画面である射出グラフ画面Ｇ［５１］をメイン画面領域２１ｂに表示する（図５（２０））。図５には画面グループＴ１〜Ｔ４に含まれる画面Ｇを示したが、制御部６０は、図５にない画面グループＴ５〜Ｔ１０に含まれる画面Ｇも同様に表示する。
【００６２】
以上説明したように、本実施形態の射出成形機１によれば、表示操作装置２０のタッチパネル２２に二点上スワイプ操作または二点下スワイプ操作が入力されたとき、複数の画面グループＴ１〜Ｔ１０の中から二点上スワイプ操作または二点下スワイプ操作に応じて新たに選択された画面グループに含まれる予め定められた標準画面を表示部２１のメイン画面領域２１ｂに表示する。このようにしたことから、画面グループが新たに選択されるとその画面グループの標準画面が必ず表示されるので、新たな画面グループを選択する操作を入力するに際して、操作入力後に表示される画面をより正確に把握することができる。
【００６３】
また、表示操作装置２０がタッチパネル２２を有し、画面切替操作として二点右スワイプ操作または二点左スワイプ操作が入力され、画面グループ選択操作として二点上スワイプ操作または二点下スワイプ操作が入力される。このようにしたことから、１つの画面グループ内での画面切り替え、および、複数の画面グループＴ１〜Ｔ１０内での画面グループの選択を、直感的な操作で行うことができる。
【００６４】
本実施形態によれば、新たな画面グループを選択する操作を入力するに際して、操作入力後に表示される画面をより正確に把握することができるので、不必要な操作の入力を抑制して、目的の画面に効率よくたどりつくことができる。
【００６５】
上述した実施形態では、タッチパネル２２を備え、二点右スワイプ操作また二点左スワイプ操作を入力することにより１つの画面グループ内で画面を切り替え、二点上スワイプ操作または二点下スワイプ操作を入力することにより複数の画面グループＴ１〜Ｔ１０内で画面グループを選択する構成であったが、これに限定されるものではない。例えば、押しボタンスイッチからなる左右キーおよび上下キーを備え、これら左右キーによって１つの画面グループ内で画面を切り替え、上下キーによって複数の画面グループＴ１〜Ｔ１０内で画面グループを選択する構成としてもよい。このように、タッチパネル２２によりソフトウェア的に実現した操作ボタンに替えて、ハードウェア的に実現したスイッチを用いることで、操作者により確かな操作感を与えることができる。
【００６６】
また、上述した実施形態では、プラスチックなどの樹脂材料を金型に射出する射出成形機であったが、これに限定するものではない。射出成形機以外にも、例えば、金属材料を金型に圧入するダイカストマシンなど、成形品の材料を金型に注入する成形機であれば、本発明を適用可能である。また、成形機以外の産業機械に本発明を適用してもよい。
【００６７】
上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００６８】
１…射出成形機（成形機）、１０…成形装置、２０…表示操作装置、２１…表示部、２１ａ…モニター値表示領域、２１ｂ…メイン画面領域、２１ｃ…サブ画面領域、２１ｄ…機能ラベル表示領域、２２…タッチパネル（操作部）、４１〜５０…操作スイッチ、５５…簡易表示部、５５ａ…発光部、６０…制御部（表示制御部）Ｆ１、Ｆ２…機能グループ、Ｔ１〜Ｔ１０…画面グループ、Ｓ…操作ボタン、Ｇ…画面
【図１】
2017151522.tif 000003
【図２】
2017151522.tif 000004
【図３】
2017151522.tif 000005
【図４】
2017151522.tif 000006
【図５】
2017151522.tif 000007